(57)【要約】【課題】階層化された情報をタッチパネルの操作により直感的に選択することができる表示装置を提供する。【解決手段】３次元画像の表示が可能な表示部１４と、階層構造を有する情報の内の階層ごとの情報を含み、表示部を介して階層に応じた位置に３次元的に表示される複数の画像を生成する３Ｄ画像生成部２０ｃと、表示部に重ねて配置され、物体によりタッチ操作された位置を検出可能なタッチパネル１５と、タッチパネルがタッチ操作された際のタッチ状態としてのタッチ時間を検出するタッチ時間検出部２０ｊと、タッチパネルによって検出されたタッチ位置と、タッチ時間検出部２０ｊによって検出されたタッチ時間とに基づいて、複数の画像の各々に含まれる情報に対する入力を受け付ける入力信号受付部２０ｄとを備える。【選択図】図１
2012058903.tif 000002
【特許請求の範囲】
【請求項１】
３次元画像の表示が可能な表示部と、
階層構造を有する情報の内の階層ごとの情報を含み、前記表示部を介して前記階層に応じた位置に３次元的に表示される複数の画像を生成する３次元画像生成部と、
前記表示部に重ねて配置され、物体によりタッチ操作された位置を検出可能なタッチパネルと、
前記タッチパネルがタッチ操作された際のタッチ状態を検出するタッチ状態検出部と、
前記タッチパネルによって検出されたタッチ位置と、前記タッチ状態検出部によって検出されたタッチ状態とに基づいて、前記複数の画像の各々に含まれる情報に対する入力を受け付ける入力信号受付部と、
を備えることを特徴とする表示装置。
【請求項２】
前記入力信号受付部は、タッチ状態に応じて異なる階層の情報に対する入力を受け付けることを特徴とする請求項１に記載の表示装置。
【請求項３】
前記タッチ状態は、前記タッチパネルがタッチ操作された際の接触時間であることを特徴とする請求項１又は２に記載の表示装置。
【請求項４】
前記タッチ状態は、前記タッチパネルがタッチ操作された際の接触圧であることを特徴とする請求項１又は２に記載の表示装置。
【請求項５】
前記複数の画像は、各々が階層ごとの情報を含む複数の表示窓であって、前記表示部の表示画面からの距離が互いに異なる位置に仮想的に表示される複数の表示窓であることを特徴とする請求項１〜４のいずれか１項に記載の表示装置。
【請求項６】
前記複数の表示窓は、各々に含まれる階層ごとの情報の概念的な上下関係に応じた距離だけ前記表示画面から離れた位置に表示されることを特徴とする請求項５に記載の表示装置。
【請求項７】
前記複数の表示窓の各々は、階層ごとの情報に対応する複数のアイコンを含むことを特徴とする請求項５又は６に記載の表示装置。
【請求項８】
前記複数の表示窓の内の隣接する２つの表示窓に含まれる複数のアイコンは、該２つの表示窓を前記表示画面に投影したときに互いに重ならないように配置されていることを特徴とする請求項７に記載の表示装置。
【請求項９】
前記入力信号受付部は、前記タッチ位置の座標が前記複数の表示窓に含まれる複数のアイコンの内のいずれかの表示領域に重なったときに、該表示領域上のアイコンに応じた信号を出力することを特徴とする請求項７又は８に記載の表示装置。
【請求項１０】
前記複数の表示窓の内のいずれかの表示窓を表示させ、該表示窓に含まれる複数のアイコンの内のいずれかに対応する信号が前記入力信号受付部から出力された場合に、前記表示窓の少なくとも一部を消去すると共に、前記複数の表示窓の内の前記信号に応じた表示窓を表示させる表示制御部をさらに備えることを特徴とする請求項９に記載の表示装置。
【請求項１１】
請求項１〜１０のいずれか１項に記載の表示装置と、
視野領域からの光を集光するレンズ部と、
前記レンズ部が集光した光を用いて電子的な画像データを生成する撮像部と、
前記入力信号受付部によって受け付けられた入力信号に基づいて、前記撮像部に対する撮影条件の設定を行う撮影条件設定部と、
を備え、
前記３次元画像生成部は、前記撮像部によって生成された画像データに基づいて３次元画像を生成することを特徴とする撮像装置。
【発明の詳細な説明】
【技術分野】
【０００１】
本発明は、画像の３次元表示を行う表示装置及び撮像装置に関する。
【背景技術】
【０００２】
近年、画像の３次元（３Ｄ）表示が可能な表示装置の開発が進められている。具体的には、テレビジョンや、パーソナルコンピュータのディスプレイや、デジタルカメラに備えられた表示部等において、３Ｄ表示が行われるようになっている。３Ｄ表示は、人の右目と左目とに、互いに視点の異なる画像を独立に与えることにより、表示画面から飛び出した立体画像や表示画面よりも引っ込んだ立体画像を脳に認識させる表示技術である。
【０００３】
一方、表示装置を有する機器に対して入力を行うデバイスとしては、表示部に重畳された２次元平面のパネルにタッチすることにより直感的な入力が可能なタッチパネルが広く用いられている。例えば、階層化されたメニュー（設定項目）を表示部に表示させ、このメニューを１階層ずつタッチパネルで選択していくことにより、ユーザ所望の設定を行う技術が知られている（例えば、特許文献１及び２参照）。
【０００４】
ところで、階層化されたメニューを１階層ずつ画面に表示すると、階層の全体構造や階層間の関係を把握し難くなるため、現在どの階層の設定を行っているのか、ユーザ自身が判らなくなる場合がある。そこで、例えば特許文献１においては、階層化されたメニューを樹形図状に表示することにより、階層の全体構造を一望できるようにしている。また、例えば特許文献２においては、いずれかの階層における設定項目をアイコンで表示すると共に、選択されたアイコンによって設定可能となる他の階層の設定項目を一括表示している。
【先行技術文献】
【特許文献】
【０００５】
【特許文献１】特開平１１−１９１０２９号公報
【特許文献２】特開２００５−２１７６６２号公報
【発明の概要】
【発明が解決しようとする課題】
【０００６】
しかしながら、表示部の寸法がそれほど大きくない場合、複数の階層を１つの画面に表示する表示形態では、画面が非常に見難くなる。また、このような表示形態では、メニューの階層が増える毎に、設定項目を小さく表示しなければならなくなる。そのため、ユーザにとっての利便性が低下し、直感的な情報選択が困難になってしまう。
【０００７】
本発明は、上記に鑑みてなされたものであって、階層化された情報をタッチパネルの操作によって直感的に選択することができる表示装置と、そのような表示装置を備えた撮像装置とを提供することを目的とする。
【課題を解決するための手段】
【０００８】
上述した課題を解決し、目的を達成するために、本発明に係る表示装置は、３次元画像の表示が可能な表示部と、階層構造を有する情報の内の階層ごとの情報を含み、前記表示部を介して前記階層に応じた位置に３次元的に表示される複数の画像を生成する３次元画像生成部と、前記表示部に重ねて配置され、物体によりタッチ操作された位置を検出可能なタッチパネルと、前記タッチパネルがタッチ操作された際のタッチ状態を検出するタッチ状態検出部と、前記タッチパネルによって検出されたタッチ位置と、前記タッチ状態検出部によって検出されたタッチ状態とに基づいて、前記複数の画像の各々に含まれる情報に対する入力を受け付ける入力信号受付部とを備えることを特徴とする。
【０００９】
上記表示装置において、前記入力信号受付部は、タッチ状態に応じて異なる階層の情報に対する入力を受け付けることを特徴とする。
【００１０】
上記表示装置において、前記タッチ状態は、前記タッチパネルがタッチ操作された際の接触時間であることを特徴とする。
【００１１】
上記表示装置において、前記タッチ状態は、前記タッチパネルがタッチ操作された際の接触圧であることを特徴とする。
【００１２】
上記表示装置において、前記複数の画像は、各々が階層ごとの情報を含む複数の表示窓であって、前記表示部の表示画面からの距離が互いに異なる位置に仮想的に表示される複数の表示窓であることを特徴とする。
【００１３】
上記表示装置において、前記複数の表示窓は、各々に含まれる階層ごとの情報の概念的な上下関係に応じた距離だけ前記表示画面から離れた位置に表示されることを特徴とする。
【００１４】
上記表示装置において、前記複数の表示窓の各々は、階層ごとの情報に対応する複数のアイコンを含むことを特徴とする。
【００１５】
上記表示装置において、前記複数の表示窓の内の隣接する２つの表示窓に含まれる複数のアイコンは、該２つの表示窓を前記表示画面に投影したときに互いに重ならないように配置されていることを特徴とする。
【００１６】
上記表示装置において、前記入力信号受付部は、前記タッチ位置の座標が前記複数の表示窓に含まれる複数のアイコンの内のいずれかの表示領域に重なったときに、該表示領域上のアイコンに応じた信号を出力することを特徴とする。
【００１７】
上記表示装置において、前記複数の表示窓の内のいずれかの表示窓を表示させ、該表示窓に含まれる複数のアイコンの内のいずれかに対応する信号が前記入力信号受付部から出力された場合に、前記表示窓の少なくとも一部を消去すると共に、前記複数の表示窓の内の前記信号に応じた表示窓を表示させる表示制御部をさらに備えることを特徴とする。
【００１８】
本発明に係る撮像装置は、上記表示装置と、視野領域からの光を集光するレンズ部と、前記レンズ部が集光した光を用いて電子的な画像データを生成する撮像部と、前記入力信号受付部によって受け付けられた入力信号に基づいて、前記撮像部に対する撮影条件の設定を行う撮影条件設定部とを備え、前記３次元画像生成部は、前記撮像部によって生成された画像データに基づいて３次元画像を生成することを特徴とする。
【発明の効果】
【００１９】
本発明によれば、階層構造を有する情報に対し、階層ごとの情報を含む画像を階層に応じた位置に３次元的に表示すると共に、タッチパネルに対するタッチ状態に応じて各階層における情報の入力を受け付けるので、ユーザは、階層化された情報を直感的に選択することが可能となる。
【図面の簡単な説明】
【００２０】
【図１】図１は、本発明の実施の形態１に係る撮像装置の構成を示すブロック図である。
【図２】図２は、図１に示す撮像装置の背面側の構成を示す斜視図である。
【図３】図３は、撮影条件の階層構造を示す図である。
【図４】図４は、撮影条件設定用の表示窓の表示位置を示す上面図である。
【図５】図５は、図１に示す撮像装置の動作を示すフローチャートである。
【図６】図６は、撮影条件の設定処理における撮像装置の動作を示すフローチャートである。
【図７Ａ】図７Ａは、３次元画像の第１階層窓の位置を示す上面図である。
【図７Ｂ】図７Ｂは、３次元画像の第１階層窓を示す正面図である。
【図８Ａ】図８Ａは、３次元画像の第２階層窓の位置を示す上面図である。
【図８Ｂ】図８Ｂは、３次元画像の第２階層窓を示す正面図である。
【図９】図９は、第１階層窓及び第２階層窓に表示されるアイコンの位置関係を説明する図である。
【図１０Ａ】図１０Ａは、３次元画像の第３階層窓の位置を示す上面図である。
【図１０Ｂ】図１０Ｂは、３次元画像の第３階層窓を示す正面図である。
【図１１Ａ】図１１Ａは、実施の形態１の変形例における第１階層窓の表示内容を例示する図である。
【図１１Ｂ】図１１Ｂは、実施の形態１の変形例における第２階層窓の表示内容を例示する図である。
【図１１Ｃ】図１１Ｃは、実施の形態１の変形例における第３階層窓の表示内容を例示する図である。
【図１２】図１２は、本発明の実施の形態２に係る撮像装置の構成を示すブロック図である。
【図１３】図１３は、本発明の実施の形態２に係る撮像装置の動作を示すフローチャートである。
【発明を実施するための形態】
【００２１】
以下、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００２２】
図１は、本実施の形態に係る撮像装置の構成を示すブロック図である。また、図２は、図１に示す撮像装置のユーザに面する側（背面側）の構成を示す図である。図１及び図２に示すように、撮像装置１は、２つの撮像部１０Ｌ及び１０Ｒと、手ブレ検出部１１と、姿勢検出部１２と、操作入力部１３と、表示部１４と、タッチパネル１５と、記録媒体インタフェース１７と、不揮発性メモリ１８と、揮発性メモリ１９と、システムコントローラ２０とを備える。
【００２３】
撮像部１０Ｌは、レンズ部２Ｌと、レンズ駆動機構３Ｌと、絞り駆動機構４Ｌと、シャッタ駆動機構５Ｌと、撮像素子６Ｌと、信号処理部７Ｌとを含んでいる。また、撮像部１０Ｒは、レンズ部２Ｒと、レンズ駆動機構３Ｒと、絞り駆動機構４Ｒと、シャッタ駆動機構５Ｒと、撮像素子６Ｒと、信号処理部７Ｒとを含んでいる。
【００２４】
レンズ部２Ｌは、フォーカスレンズ及びズームレンズ等によって構成され、所定の視野領域から光を集光する。レンズ部２Ｌは、ズームレンズが光軸ＱＬ上を移動することによって画角を変化させる光学ズーム機能を有する。
【００２５】
レンズ駆動機構３Ｌは、ＤＣモータ等によって構成されており、レンズ部２Ｌのフォーカスレンズやズームレンズを光軸ＱL上で移動させることによってレンズ部２Ｌの焦点位置や焦点距離の変更を行う。
【００２６】
絞り駆動機構４Ｌは、絞り４ａ及びステッピングモータ等によって構成され、絞り４ａを駆動することによってレンズ部２Ｌが集光した光の入射量を調整する。
【００２７】
シャッタ駆動機構５Ｌは、シャッタ５ａ及びステッピングモータ等によって構成され、シャッタ５ａを駆動することによって撮像素子６Ｌの状態を露光状態又は遮光状態に設定する。
【００２８】
撮像素子６Ｌは、レンズ部２Ｌが集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部７Ｌに出力する。
【００２９】
信号処理部７Ｌは、撮像素子６Ｌから出力される電気信号に増幅等の信号処理を施した後、Ａ／Ｄ変換を行うことによってデジタルの画像データに変換し、システムコントローラ２０を介して揮発性メモリ１９に出力する。
【００３０】
一方、レンズ部２Ｒにおいては、光軸ＱＬと平行で、光軸ＱＬから６〜８ｃｍ程度離れた光軸ＱＲ上をズームレンズが移動する。その他の撮像部１０Ｒの構成は上記撮像部１０Ｌと共通であるため、説明を省略する。
【００３１】
このような撮像部１０Ｌ及び１０Ｒは、レンズ部２Ｌ及び２Ｒがそれぞれ集光した光を用いて電子的な画像データを連続的に生成する。レンズ部２Ｌ及び２Ｒは、撮像装置１の筐体の左右に隔離して設けられており、互いに異なる角度から被写体を撮影する。このような撮像部１０Ｌ及び１０Ｒにおいて、シャッタ駆動機構５Ｌ及び５Ｒを同期して動作させることにより、視点の異なる２つの画像（左目用画像及び右目用画像）が得られる。これらの画像を合成し、後述する表示部１４に表示させることにより、３次元空間に浮き出た３次元画像を生成することができる。
【００３２】
手ブレ検出部１１は、ジャイロセンサによって構成され、撮像装置１の角速度を検出することにより、ユーザの手ブレによる画像のブレ状態を検出する。具体的には、手ブレ検出部１１は、レンズ部２Ｌ及び２Ｒの光軸ＱＬ、ＱＲに直交する平面をＸＹ平面としたときのＸ軸、Ｙ軸、及びＸＹ平面に直交するＺ軸の各軸回りの角速度を個別のジャイロセンサで検出することによって、ユーザの手ブレを検出する。
【００３３】
姿勢検出部１２は、加速度センサによって構成され、撮像装置１の加速度を検出することにより、撮像装置１の姿勢状態を検出する。具体的には、姿勢検出部１２は、撮像装置１の重力方向と直交する面である水平面を基準としたときの撮像装置１の姿勢を検出する。
【００３４】
操作入力部１３は、図２に示すように、撮像装置１の電源状態をオン状態又はオフ状態に切り替える電源スイッチ１３ａと、静止画撮影の指示を与えるレリーズ信号を入力するレリーズスイッチ１３ｂと、撮像装置１の各種モード（撮影モード、再生表示モード）を切り替えるモード切換スイッチ１３ｃと、撮像装置１の各種設定を行う操作スイッチ１３ｄと、レンズ部２Ｌ及び２Ｒのズーム操作を行うズームスイッチ１３ｅと、２Ｄ撮影と３Ｄ撮影とを交互に切り換える２Ｄ／３Ｄ撮影切換スイッチ１３ｆを有する。
【００３５】
表示部１４は、２次元画像及び３次元画像の表示が可能な表示装置であり、液晶又は有機ＥＬ（Electro  Luminescence）等からなる表示パネルに視差バリアを設けることによって実現される。視差バリアとは、所定の間隔で遮光部が設けられたパネルであり、表示パネルに表示される画像を、ユーザの左目用の画像と右目用の画像とに分離する。この視差バリアを、印加される電圧に応じて遮光状態が変化する液晶パネル等によって構成することにより、３次元画像の表示状態（遮光バリアＯＮ）と、２次元画像の表示状態（遮光バリアＯＦＦ）とを切替えることができる。表示部１４は、撮像素子６Ｌ又は撮像素子６Ｒにより生成された画像データに対応する通常の２次元画像や、撮像素子６Ｌ及び６Ｒによりそれぞれ生成された画像データに基づいて生成された３次元表示用画像を表示する。また、表示部１４は、撮像装置１の操作情報及び撮影に関する情報を２次元又は３次元的に適宜表示する。なお、視差バリアの代わりに、シリンドリカルレンズをアレイ状に配置したレンチキュラーレンズを設けても良い。なお、本実施の形態においては、裸眼であっても３次元画像を認識可能な表示装置を示しているが、その代わりに、３Ｄテレビジョンで使用されているフレームシーケンシャル方式の表示装置を用いても良い。
【００３６】
タッチパネル１５は、例えば表示部１４上に重ねて設けられる。タッチパネル１５は、表示部１４に表示される情報に基づいてユーザの指等の物体が接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。なお、本実施の形態において、タッチパネル１５が入力部の一部として機能する。
【００３７】
記録媒体インタフェース１７は、撮像装置１の外部から装着される記録媒体のメモリカード１７ａに対して画像データ等の情報を記憶する一方、メモリカード１７ａが記憶する情報を読み出す。
【００３８】
不揮発性メモリ１８は、フラッシュメモリ等によって実現される。不揮発性メモリ１８は、撮像装置１を動作させるための各種プログラムを記憶したプログラムコード１８ａと、タッチパネル１５のセンサ座標位置と表示部１４の画素の位置との相関データのように、プログラムの実行中に使用される各種データ等を記憶した制御パラメータ１８ｂとを有する。具体的には、制御パラメータ１８ｂは、後述する撮影条件設定部２０ｅにおいて撮影条件を設定する際の判定に使用されるタッチ時間の閾値Ｔ１〜Ｔ３等を含む。
【００３９】
揮発性メモリ１９は、ＳＤＲＡＭ（Synchronous  Dynamic  Random  Access  Memory）によって実現される。揮発性メモリ１９は、信号処理部７Ｌ及び７Ｒから出力される画像データやシステムコントローラ２０による処理中の情報が一時的に記録されるワークエリア１９ａを有する。具体的には、揮発性メモリ１９は、撮像素子６Ｌ及び６Ｒが１フレーム（例えば１／３０秒）毎に出力する画像データに対応する画像（ライブビュー画像）やレリーズスイッチ１３ｂが操作された際に撮像素子６Ｌ及び６Ｒが出力する画像データに対応する画像等を一時的に記憶する。
【００４０】
システムコントローラ２０は、ＣＰＵ（Central  Processing  Unit）等によって実現され、操作入力部１３からの操作信号等に応じて不揮発性メモリ１８からプログラムを読み出して実行し、撮像装置１を構成する各部に対する指示やデータの転送等を行って撮像装置１の動作を統括的に制御する。システムコントローラ２０は、画像処理部２０ａと、圧縮・伸長部２０ｂと、３Ｄ画像生成部２０ｃと、入力信号受付部２０ｄと、撮影条件設定部２０ｅと、ＡＦ（Auto Focus）制御部２０ｆと、ＡＥ（Auto  Exposure）制御部２０ｇと、タイマカウンタ２０ｈと、表示制御部２０ｉと、タッチ時間検出部２０ｊとを有する。
【００４１】
画像処理部２０ａは、信号処理部７Ｌ及び７Ｒから出力された画像データに対して各種の画像処理を施し、揮発性メモリ１９に出力する。具体的には、画像処理部２０ａは、信号処理部７Ｌ及び７Ｒから出力される画像データに対してエッジ強調、カラーバランス（ＲＧＢ）、色補正及びγ補正等の処理を施す。
【００４２】
圧縮・伸長部２０ｂは、揮発性メモリ１９のワークエリア１９ａに記憶された画像データをメモリカード１７ａに記憶させる場合又はメモリカード１７ａに記録されている画像データを表示部１４に表示させる場合に、ＪＰＥＧ（Joint  Photographic  Experts  Group）圧縮方式等に基づいて画像データの圧縮処理や伸長処理を行う。
【００４３】
３Ｄ画像生成部２０ｃは、信号処理部７Ｌ及び７Ｒからそれぞれ出力された画像データに基づいて、表示画面１４ａから所定の距離だけ隔離された位置に仮想的に画像を表示するための３次元表示用画像を生成する。具体的には、信号処理部７Ｌから出力された画像データに対応する左目用画像を構成する画素と、信号処理部７Ｒから出力された画像データに対応する右目用画像を構成する画素とを、表示部１４の視差バリアの間隔に応じて配列構成し直して、表示部１４に出力する。
【００４４】
また、３Ｄ画像生成部２０ｃは、後述する撮影条件設定部２０ｅから指示があった場合に、不揮発性メモリ１８に記憶されているプログラムコード１８ａに基づいて、撮影条件等の設定に用いられる表示窓の画像を表示画面１４ａから所定の距離だけ隔離された位置に仮想的に表示するための３次元表示用画像を生成して、表示部１４に出力する。
【００４５】
入力信号受付部２０ｄは、上記３Ｄ画像生成部２０ｃによって生成された撮影条件等の設定用の表示窓が表示されている場合に、タッチパネル１５が受け付けた操作信号を取り込み、上記表示窓に対する入力信号として受け付ける。また、入力信号受付部２０ｄは、受け付けた入力信号が所定の条件を満たす場合に、後述する撮影条件設定部２０ｅ等に対して信号を出力する。
【００４６】
撮影条件設定部２０ｅは、撮像装置１が被写体の撮影を行う際に、種々の撮影条件の設定を行う。具体的には、モード切換スイッチ１３ｃが撮影モードに設定されると、撮影条件設定部２０ｅは、不揮発性メモリ１８に記憶されているプログラムコード１８ａに従って、撮影条件の設定に用いられる表示窓を３Ｄ画像生成部２０ｃに生成させる。また、撮影条件設定部２０ｅは、入力信号受付部２０ｄからの出力信号、及び後述するタッチ時間検出部２０ｊからの出力信号に応じて、所定の撮影条件を撮像装置１の各部に設定することにより、撮像部１０Ｌ及び１０Ｒに対する制御を行う。
【００４７】
図３は、撮像装置１において設定可能な撮影条件の階層構造を示している。本実施の形態において、撮影条件は、上位概念の撮影条件を選択するための第１階層２１と、それよりも下位概念の撮影条件を選択するための第２階層２２とを通じて段階的に設定される。第１階層２１は、撮影条件の種類を選択するためのものであり、撮影画像に対して所定の視覚効果を設定する「フィルタ」や、自動露出の制御方式を設定する「プログラム」や、撮影する際の各種条件を設定する「シーン」を含んでいる。一方、第２階層２２ａ〜２２ｃは、各撮影条件の種類の中で具体的な撮影条件を選択するためのものである。例えば、「フィルタ」の第２階層２２ａは、被写体の輪郭を線画で描写する「スケッチ」モードと、超広角レンズで撮影したような歪み効果が得られる「魚眼」モードと、４隅にピンホールカメラで撮影したようなシェード効果が得られる「ピンホール」モードとを含んでいる。「プログラム」の第２階層２２ｂは、絞りを優先してシャッタ速度を自動的に調節することにより適正な露出値を得る「絞り優先」モードと、シャッタ速度を優先して絞りを調節することにより適正な露出値を得る「シャッタ優先」モードとを含んでいる。「シーン」の第２階層２２ｃは、シーンに応じて感度や、ダイナミックレンジや、シャッタスピード等を設定する「人物」モードと、「夜景」モードと、「風景」モードとを含んでいる。
【００４８】
ＡＦ制御部２０ｆは、信号処理部７Ｌ及び７Ｒから出力される画像データに基づいて、自動焦点調整を行う。例えば、ＡＦ制御部２０ｆは、画像データのコントラストに基づいて、レンズ駆動機構３Ｌ及び３Ｒを駆動し、撮影する被写体像の鮮鋭度が最大となるようにレンズ部２Ｌ及び２Ｒを光軸Ｑ上で移動させる。
【００４９】
ＡＥ制御部２０ｇは、信号処理部７Ｌ及び７Ｒから出力される画像データ及び撮影条件設定部２０ｅに設定された撮影条件（「絞り優先」又は「シャッタ優先」）に基づいて、静止画撮影を行う際の条件、例えば絞り４ａの設定値、シャッタ速度等を決定することで自動露出を行う。
【００５０】
タイマカウンタ２０ｈは、撮像装置１の動作の基準となる時間信号を生成する。これにより、システムコントローラ２０は、画像データの取得間隔、撮像素子６Ｌ及び６Ｒの露光時間等を設定することができる。
【００５１】
表示制御部２０ｉは、２次元又は３次元画像が所定の形式で表示部１４に表示されるように制御を行う。
【００５２】
タッチ時間検出部２０ｊは、タッチパネル１５に対してタッチ操作が行われた際に、タッチパネル１５にユーザの指等の物体が接触していた接触時間（タッチ時間）を検出する。具体的には、タッチ時間検出部２０ｊは、入力信号受付部２０ｄがタッチパネル１５から取り込んだ操作信号の長さを測定し、タッチ時間を表す信号を撮影条件設定部２０ｅや表示制御部２０ｉに出力する。
【００５３】
図４は、３Ｄ画像生成部２０ｃによって生成される撮影条件設定用の表示窓の表示位置を示す上面図である。本実施の形態において撮影条件の設定は３段階で行われるため、撮影条件設定用の表示窓として、各段階に対応する第１階層窓３１、第２階層窓３２、及び第３階層窓３３が用意されている。これらの階層窓は、表示部１４の表示画面１４ａから互いに異なる距離だけ仮想的に離れた位置に、それぞれ３次元的に表示される。即ち、第１階層窓３１は、表示画面１４ａから距離Ｌ１だけ奥行き方向（ユーザから離れる方向）に引っ込んだ位置に仮想的に表示される。言い換えると、表示画面１４ａから距離Ｌ１だけ奥行き方向に離れた位置に第１階層窓３１が存在するとユーザが認識するように、表示部１４に対する制御が行われる（以下、同様）。また、第２階層窓３２は、表示画面１４ａから距離Ｌ２（Ｌ２＞Ｌ１）だけ奥行き方向に引っ込んだ位置に表示される。さらに、第３階層窓３３は、表示画面１４ａから距離Ｌ３（Ｌ３＞Ｌ２）だけ奥行き方向に引っ込んだ位置に表示される。これらの距離Ｌ１、Ｌ２、及びＬ３は、表示画面１４ａの面積等に応じて設定され、本実施の形態においては、Ｌ１≒３ｃｍ、Ｌ２≒６ｃｍ、Ｌ３≒９ｃｍとしている。なお、各階層窓の表示内容については後述する。
【００５４】
次に、図１に示す撮像装置１の動作（以下、単に動作ともいう）について、図５を参照しながら説明する。図５は、撮像装置１の動作を示すフローチャートである。
【００５５】
まず、システムコントローラ２０は、撮像装置１の電源がオンになっているか否かを判断する（ステップＳ１）。撮像装置１の電源がオンになっている場合（ステップＳ１：Ｙｅｓ）、動作はステップＳ２に移行する。一方、撮像装置１の電源がオンになっていない場合（ステップＳ１：Ｎｏ）、撮像装置１は動作を終了する。
【００５６】
続いて、システムコントローラ２０は、モード切換スイッチ１３ｃが撮影モードに設定されているか否かを判断する（ステップＳ２）。モード切換スイッチ１３ｃが撮影モードに設定されている場合（ステップＳ２：Ｙｅｓ）、動作は後述するステップＳ３に移行する。一方、撮像装置１が撮影モードに設定されていない場合（ステップＳ２：Ｎｏ）、動作は後述するステップＳ１０に移行する。
【００５７】
ステップＳ３において、システムコントローラ２０は、撮像素子６Ｌ及び／又は６Ｒにより一定の微小な時間間隔で連続的に生成される画像データに対応するライブビュー画像（スルー画像）を表示部１４に表示させる。このとき、２Ｄ／３Ｄ撮影切換スイッチ１３ｆにより２Ｄ撮影モードが設定されていると、システムコントローラ２０は、撮像素子６Ｌ又は６Ｒのいずれか一方のみを動作させることにより、２Ｄのライブビュー画像を表示させる。一方、３Ｄ撮影モードが設定されている場合、システムコントローラ２０は、撮像素子６Ｌ及び６Ｒの両方を動作させることにより、３Ｄのライブビュー画像を表示させる。
【００５８】
続いて、システムコントローラ２０は、操作スイッチ１３ｄが操作され、撮影条件設定の指示信号が入力されたか否かを判断する（ステップＳ４）。撮影条件設定の指示信号が入力された場合（ステップＳ４：Ｙｅｓ）、システムコントローラ２０は撮影条件の設定を行う（ステップＳ５）。その後、動作はステップＳ６に移行する。なお、ステップＳ５における動作については、後で詳しく説明する。一方、撮影条件設定の指示信号が入力されない場合（ステップＳ４：Ｎｏ）、動作は直接ステップＳ６に移行する。
【００５９】
ステップＳ６において、システムコントローラ２０は、レリーズスイッチ１３ｂが操作（全押）されて撮影を指示するレリーズ信号が入力されたか否かを判断する。撮影を指示するレリーズ信号が入力されない場合（ステップＳ６：Ｎｏ）、動作はステップＳ１に戻る。一方、撮影を指示するレリーズ信号が入力された場合（ステップＳ６：Ｙｅｓ）、動作はステップＳ７に移行する。
【００６０】
ステップＳ７において、システムコントローラ２０は、被写体に対して撮影を行う。このとき、２Ｄ撮影モードが設定されていると、システムコントローラ２０は、シャッタ駆動機構５Ｌ又は５Ｒのいずれか一方のみを動作させ、１つの２Ｄ画像を表す画像データを撮像素子６Ｌ又は６Ｒに生成させる。一方、３Ｄ撮影モードが設定されている場合、システムコントローラ２０は、シャッタ駆動機構５Ｌ及び５Ｒを同期して動作させることにより、視点の異なる２つの画像を表す画像データを、撮像素子６Ｌ及び６Ｒにそれぞれ生成させる。
【００６１】
続いて、ステップＳ８において、システムコントローラ２０は、撮像素子６Ｌ及び／又は６Ｒによって生成された画像データを、メモリカード１７ａに記憶させる。その後、動作はステップＳ１に戻る。
【００６２】
次に、ステップＳ２において、撮像装置１が撮影モードに設定されていない場合（ステップＳ２：Ｎｏ）について説明する。この場合、システムコントローラ２０は、メモリカード１７ａに記憶された画像データを再生する再生表示処理を行う（ステップＳ１０）。その後、動作はステップＳ１に戻る。
【００６３】
次に、ステップＳ５における撮影条件の設定処理について説明する。図６は、撮影条件の設定処理における撮像装置１の動作を示すフローチャートである。実施の形態１においては、撮影条件の各階層における情報の入力を、タッチパネル１５に対するタッチ時間に応じて受け付けることを特徴としている。
【００６４】
まず、ステップＳ１０１において、撮像装置１は、タッチパネル１５を動作させ、ユーザによりタッチ操作されたタッチパネル１５上の位置（指位置）の座標（Ｘ，Ｙ）の検出と、タッチ時間Ｔｘの測定とを開始する。
【００６５】
続くステップＳ１０２において、撮影条件設定部２０ｅは、撮影条件の第１階層を選択するための画像として、第１階層窓３１を３Ｄ画像生成部２０ｃに生成させ、表示部１４に表示させる。図７Ａは、表示部１４に表示される画像の一例を示す模式図である。図７Ａに示すように、第１階層窓３１には、撮影条件設定の第１階層２１（図３参照）における選択を行うための「フィルタ」アイコン３１ａと、「プログラム」アイコン３１ｂと、「シーン」アイコン３１ｃとが表示される。また、このとき、併せて、撮影条件（モード）の選択状況を表示するための領域である選択状況表示窓３４も表示される。なお、この段階ではいずれのアイコンも選択されていないので、選択状況の内容自体は表示されていない。また、図７Ｂに示すように、第１階層窓３１は、表示部１４の表示画面１４ａから距離Ｌ１だけ離れた位置に表示される。選択状況表示窓３４も同様に、表示画面１４ａから距離Ｌ１だけ離れた位置に表示される。
【００６６】
ステップＳ１０３において、入力信号受付部２０ｄは、タッチパネル１５からの操作信号の入力を検出することにより、ユーザ１００によりタッチパネル１５へのタッチ操作があるか否かを判定する。タッチ操作がない場合（ステップＳ１０３：Ｎｏ）において、撮影条件の解除信号が入力されないとき（ステップＳ１２１：Ｎｏ）、撮影条件設定部２０ｅは、ステップＳ１０３における判定を繰り返す。また、操作スイッチ１３ｄが操作されて撮影条件設定を解除する信号が入力されると（ステップＳ１２１：Ｙｅｓ）、タッチパネル１５の動作を停止した後で（ステップＳ１１９）、動作はメインルーチンに戻る。
【００６７】
一方、タッチ操作がある場合（ステップＳ１０３：Ｙｅｓ）、撮影条件設定部２０ｅは、タッチ時間検出部２０ｊからの出力信号に基づいて、タッチ時間Ｔｘが所定値Ｔ１以上（Ｔｘ≧Ｔ１）であるか否かを判定する（ステップＳ１０４）。実施の形態１において、Ｔ１は例えば０．５秒間である。タッチ時間Ｔｘが所定値Ｔ１より小さい場合（ステップＳ１０４：Ｎｏ）、動作はステップＳ１２１に移行する。
【００６８】
タッチ時間Ｔｘが所定値Ｔ１以上である場合（ステップＳ１０４：Ｙｅｓ）、入力信号受付部２０ｄは、タッチパネル１５にタッチした指位置の座標（Ｘ，Ｙ）がアイコン３１ａ〜３１ｃのいずれの表示領域に含まれるかを判断し、座標（Ｘ，Ｙ）が含まれるアイコンの選択信号を出力する（ステップＳ１０５：Ｙｅｓ）。この場合、いずれかのアイコン３１ａ〜３１ｃがユーザにより選択されたものと判断され、動作はステップＳ１０６に移行する。一方、座標（Ｘ，Ｙ）が含まれるアイコンが存在しない場合には選択信号は出力されず（ステップＳ１０５：Ｎｏ）、動作はステップＳ１０３に戻る。
【００６９】
ステップＳ１０６において、表示制御部２０ｉは、入力信号受付部２０ｄから出力された選択信号に対応するアイコンを点滅させた後、選択状況表示窓３４に撮影条件の選択状況を表示する。さらに、表示制御部２０ｉは、第１階層窓３１の一部を残して消去する。実施の形態１においては、第１階層窓３１の左右の端部のみを残して消去する。このとき、表示制御部２０ｉは、第１階層窓３１の中心から左右に向かって幕が開くようなアニメーションにより、表示状態を遷移させても良い。
【００７０】
ステップＳ１０７において、撮影条件設定部２０ｅは、入力信号受付部２０ｄから出力された選択信号に応じて撮影条件の第２階層を選択するための画像として、第２階層窓３２を３Ｄ画像生成部２０ｃに生成させ、表示部１４に表示させる。図８Ａは、表示部１４に表示される画像の一例を示す模式図である。図８Ａに示す第２階層窓３２は、第１階層窓３１において「フィルタ」アイコン３１ａが選択された場合を表す。なお、このステップＳ１０７の動作は、ステップＳ１０６における第１階層窓３１の消去とほぼ同時に行うようにしても良い。或いは、第１階層窓３１の表示状態に応じて、第２階層窓３２の表示量を徐々に増やすようにしても良い。
【００７１】
第２階層窓３２には、撮影条件設定の第２階層２２ａ〜２２ｃ（図３参照）の内、ステップＳ１０５において選択された「フィルタ」設定の第２階層２２ａを選択するための「スケッチ」アイコン３２ａと、「魚眼」アイコン３２ｂと、「ピンホール」アイコン３２ｃとが表示されている。また、第２階層窓３２には、第１階層窓３１におけるアイコンの選択をやり直すための「戻る」アイコン３２ｄも表示されている。この第２階層窓３２は、図８Ｂに示すように、表示画面１４ａから距離Ｌ２だけ離れた位置に表示されるため、ユーザにとっては、左右に残された第１階層窓３１の端部や選択状況表示窓３４に比べて、さらに奥行き方向に引っ込んでいるように見える。
【００７２】
ステップＳ１０８において、入力信号受付部２０ｄは、タッチパネル１５からの操作信号の入力を検出することにより、タッチパネル１５へのタッチ操作があるか否かを判定する。タッチ操作がない場合（ステップＳ１０８：Ｎｏ）において、撮影条件の解除信号が入力されないとき（ステップＳ１２２：Ｎｏ）、撮影条件設定部２０ｅは、ステップＳ１０８における判定を繰り返す。また、操作スイッチ１３ｄが操作されて撮影条件設定を解除する信号が入力されると（ステップＳ１２２：Ｙｅｓ）、タッチパネル１５の動作を停止した後で（ステップＳ１１９）、動作はメインルーチンに戻る。
【００７３】
一方、タッチ操作がある場合（ステップＳ１０８：Ｙｅｓ）、撮影条件設定部２０ｅは、タッチ時間検出部２０ｊから出力された信号に基づいて、タッチ時間Ｔｘが所定値Ｔ２以上（Ｔｘ≧Ｔ２）であるか否かであるかを判定する（ステップＳ１０９）。実施の形態１において、Ｔ２は例えば１秒間である。タッチ時間Ｔｘが所定値Ｔ２より小さい場合（ステップＳ１０９：Ｎｏ）、動作はステップＳ１２２に移行する。
【００７４】
一方、タッチ時間Ｔｘが所定値Ｔ２以上である場合（ステップＳ１０９：Ｙｅｓ）、入力信号受付部２０ｄは、タッチパネル１５にタッチした指位置の座標（Ｘ，Ｙ）がアイコン３２ａ〜３２ｄのいずれの表示領域に含まれるかを判断し、座標（Ｘ，Ｙ）が含まれるアイコン３２ａ〜３２ｄの選択信号を出力する（ステップＳ１１０：Ｙｅｓ）。この場合、いずれかのアイコン３２ａ〜３２ｄがユーザにより選択されたものと判断され、動作はステップＳ１１１に移行する。一方、座標（Ｘ，Ｙ）が含まれるアイコンが存在しない場合には選択信号は出力されず（ステップＳ１１０：Ｎｏ）、この場合、動作はステップＳ１０８に戻る。
【００７５】
ステップＳ１１１において、撮影条件設定部２０ｅは、入力信号受付部２０ｄから出力された選択信号に対応するアイコンが「戻る」アイコン３２ｄであるか否かを判断する。当該アイコンが「戻る」アイコン３２ｄである場合（ステップＳ１１１：Ｙｅｓ）、動作はステップＳ１３１に移行する。
【００７６】
一方、当該アイコンが「戻る」アイコン３２ｄでない場合（ステップＳ１１１：Ｎｏ）、表示制御部２０ｉは、選択されたアイコンを点滅させた後、選択状況表示窓３４に撮影条件の選択状況を表示する。さらに、表示制御部２０ｉは、第２階層窓３２の一部を残して消去する（ステップＳ１１２）。
【００７７】
ここで、図９を参照しながら、第１階層窓３１上のアイコン３１ａ〜３１ｃと第２階層窓３２上のアイコン３２ａ〜３２ｄとの位置関係について説明する。実施の形態１において、アイコン３１ａ〜３１ｃ及びアイコン３２ａ〜３２ｄは、同一のＸＹ平面（例えば、表示画面１４ａ）に投影した場合に、互いに重ならないようにずらして配置されている。それにより、ユーザが第１階層窓３１上でいずれかのアイコン３１ａ〜３１ｃを選択した際に、所定値Ｔ２以上タッチし続けた場合であっても、誤って第２階層窓３２上のいずれかのアイコン３２ａ〜３２ｄを選択してしまうといった事態を防ぐことができる。
【００７８】
ステップＳ１１３において、撮影条件設定部２０ｅは、入力信号受付部２０ｄから出力された選択信号に基づいて撮影条件を確定するための画面として、第３階層窓３３を３Ｄ画像生成部２０ｃに生成させ、表示部１４に表示させる。図１０Ａは、表示部１４に表示される画像の一例を示す模式図である。図１０Ａに示す第３階層窓３３は、第２階層窓３２において「魚眼」アイコン３２ｂが選択された場合を表す。なお、このステップＳ１１１の動作は、ステップＳ１１２における第２階層窓３２の消去とほぼ同時に行うようにしても良い。或いは、第２階層窓３２の表示状態に応じて、第３階層窓３３の表示量を徐々に増やすようにしても良い。
【００７９】
第３階層窓３３には、ステップＳ１１０において選択されたアイコンに表示された撮影条件設定内容を確定させるための「確定」アイコン３３ａと、第２階層窓３２におけるアイコンの選択をやり直すための「戻る」アイコン３３ｂとが表示されている。また、図１０Ｂに示すように、第３階層窓３３は、表示画面１４ａから距離Ｌ３だけ離れた位置に表示されるため、ユーザにとっては、左右に残された第２階層窓３２の端部に比べて、さらに奥行き方向に引っ込んでいるように見える。
【００８０】
ステップＳ１１４において、入力信号受付部２０ｄは、タッチパネル１５からの操作信号の入力を検出することにより、タッチパネル１５へのタッチ操作があるか否かを判定する。タッチ操作がない場合（ステップＳ１１４：Ｎｏ）において、撮影条件の解除信号が入力されないとき（ステップＳ１２３：Ｎｏ）、撮影条件設定部２０ｅは、ステップＳ１１４における判定を繰り返す。また、操作スイッチ１３ｄが操作されて撮影条件設定を解除する信号が入力されると（ステップＳ１２３：Ｙｅｓ）、タッチパネル１５の動作を停止した後で（ステップＳ１１９）、動作はメインルーチンに戻る。
【００８１】
一方、タッチ操作がある場合（ステップＳ１１４：Ｙｅｓ）、撮影条件設定部２０ｅは、タッチ時間検出部２０ｊから出力された信号に基づいて、タッチ時間Ｔｘが所定値Ｔ３以上（Ｔｘ≧Ｔ３）であるか否かを判定する（ステップＳ１１５）。実施の形態１において、Ｔ３は例えば２秒間である。タッチ時間Ｔｘが所定値Ｔ３より小さい場合（ステップＳ１１５：Ｎｏ）、動作はステップＳ１２３に移行する。
【００８２】
一方、タッチ時間Ｔｘが所定値Ｔ３以上である場合（ステップＳ１１５：Ｙｅｓ）、入力信号受付部２０ｄは、タッチパネル１５にタッチした指位置の座標（Ｘ，Ｙ）がアイコン３３ａ、３３ｂのいずれかの表示領域に含まれるか否かを判断し、座標（Ｘ，Ｙ）が含まれるアイコン３３ａ、３３ｂの選択信号を出力する（ステップＳ１１６：Ｙｅｓ）。この場合、いずれかのアイコン３３ａ、３３ｂがユーザにより選択されたものと判断され、動作はステップＳ１１７に移行する。一方、座標（Ｘ，Ｙ）が含まれるアイコンが存在しない場合には選択信号は出力されず（ステップＳ１１６：Ｎｏ）、この場合、動作はステップＳ１１４に戻る。
【００８３】
ステップＳ１１７において、撮影条件設定部２０ｅは、入力信号受付部２０ｄから出力された選択信号に対応するアイコンが「戻る」アイコン３３ｂであるか否かを判断する。当該アイコンが「戻る」アイコン３３ｂである場合（ステップＳ１１７：Ｙｅｓ）、動作はステップＳ１３２に移行する。
【００８４】
一方、当該アイコンが「戻る」アイコン３３ｂでない場合（ステップＳ１１７：Ｎｏ）、撮影条件設定部２０ｅは、第２階層窓３２において選択されたアイコンに表示された撮影条件を、制御パラメータとして、揮発性メモリ１９のワークエリア１９ａに記憶させる（ステップＳ１１８）。続いて、撮影条件設定部２０ｅは、タッチパネル１５の動作を停止させる（ステップＳ１１９）。この後、動作はメインルーチンに戻る。
【００８５】
次に、ステップＳ１３１における動作について説明する。
ステップＳ１３１において、入力信号受付部２０ｄは、タッチ状態が解除されたか否かを、タッチパネル１５からの操作信号に基づいて判定する。タッチ状態が解除された場合（ステップＳ１３１：Ｙｅｓ）、動作はステップＳ１０２に戻り、第１階層窓３１上でのアイコンの選択をやり直すことができる。一方、タッチ状態が解除されない場合（ステップＳ１３１：Ｎｏ）、信号入力受付部２０ｄは、タッチが解除されたか否かの判定を繰り返す。
【００８６】
次に、ステップＳ１３２における動作について説明する。
ステップＳ１３２において、入力信号受付部２０ｄは、タッチ状態が解除されたか否かを、タッチパネル１５からの操作信号に基づいて判定する。タッチ状態が解除された場合（ステップＳ１３２：Ｙｅｓ）、動作はステップＳ１０７に戻り、第２階層窓３２上でのアイコンの選択をやり直すことができる。一方、タッチ状態が解除されない場合（ステップＳ１３２：Ｎｏ）、信号入力受付部２０ｄは、タッチが解除されたか否かの判定を繰り返す。
【００８７】
ここで、上記実施の形態１において、タッチ時間を判定する際の閾値をＴ２＝２×Ｔ１、Ｔ３＝２×Ｔ２とした理由は、人間の感覚として、物理量に約２倍の変化（差）がないと、操作感の違いを認識し難いからである。なお、操作感は個人差が大きいので、Ｔ１、Ｔ２、及びＴ３の値をユーザに応じて設定又は変更可能に構成しても良い。
【００８８】
以上説明したように、実施の形態１によれば、撮影条件のように階層構造を有する情報に対して、各階層に対応する画面（第１階層窓３１〜第３階層窓３３）を３次元的に順次表示するので、ユーザは、情報の階層構造を容易に把握することができる。特に、実施の形態１においては、情報が上位概念であるほど、仮想的に表示される画面の位置を浅くし、情報が下位概念になるほど、仮想的に表示される画面の位置を深くするので、ユーザは、各階層における概念の広狭を直感的に把握することができる。
【００８９】
また、実施の形態１によれば、情報の表示領域を奥行き方向に拡張するので、表示部の寸法が小さい場合や、階層の数が増えた場合であっても、各表示領域において情報を見易く表示することが可能となる。
【００９０】
さらに、実施の形態１によれば、ユーザがタッチ操作を行った際のタッチ時間を検出し、このタッチ時間に応じた階層の情報選択や画面表示を可能とするので、タッチする感覚（タッチ時間）と視覚（階層に応じた奥行きの位置に画面が表示されるとの認識）とがマッチし、ユーザは、より直感的な情報選択を行うことが可能となる。
【００９１】
なお、上記実施の形態１においては、下位の階層窓（例えば、第２階層窓３２）が表示されている間、上位の階層窓（例えば、第１階層窓３１）を、例えば、左右の端部を残して消去している。しかしながら、この時、下位の階層窓が見える状態であれば、上位の階層窓については、いずれの部分を残しても構わない。また、上位の階層窓の全部を消去するようにしても良い。
【００９２】
（変形例）
次に、実施の形態１に係る撮像装置の変形例について説明する。
上記実施の形態においては、表示される情報が下位概念化されるほど、表示画面１４ａからの引っ込み量を大きくしたが、その逆であっても良い。例えば、図１１Ａ〜図１１Ｃに示すように、より上位概念の情報が記載されたアイコン（例えば、地方名）４１ａを含む第１階層窓４１を表示画面１４ａから距離Ｌ３（図４参照）だけ引っ込んだ位置に表示させ、その下位概念の情報（例えば、都道府県名）が記載されたアイコン４２ａを含む第２階層窓４２を表示画面１４ａから距離Ｌ２（Ｌ２＜Ｌ３）だけ離れた位置に表示させ、さらに下位概念の情報（例えば、市区町村名）が記載されたアイコン４３ａを含む第３階層窓４３を表示画面１４ａから距離Ｌ１（Ｌ１＜Ｌ２）だけ引っ込んだ位置に表示させる。この場合には、下位概念化されるに従って増加する情報を、より広い画面に表示することが可能になる。
【００９３】
（実施の形態２）
次に、本発明の実施の形態２に係る撮像装置について、図１２及び図１３を参照しながら説明する。図１２は、実施の形態２に係る撮像装置の構成を示すブロック図である。
図１２に示す撮像装置１−２は、図１に示す撮像装置１に対して、タッチパネル１５に重畳して設けられた圧力センサ１６を備える。また、撮像装置１−２は、図１に示すタッチ時間検出部２０ｊを有していない。その他の構成については、撮像装置１と同様である。
【００９４】
圧力センサ１６は、タッチパネル１５に対してタッチ操作が行われた際に、タッチパネル１５に対する圧力（接触圧）を検出し、この接触圧を表す信号を撮像条件設定部２０ｅに出力する。
【００９５】
次に、撮像装置１−２の動作について、図１３を参照しながら説明する。図１３は、実施の形態２に係る撮像装置の動作を示すフローチャートである。実施の形態２においては、撮影条件の各階層における情報の入力を、タッチパネル１５への接触圧に応じて受け付けることを特徴としている。なお、撮影条件設定部２０ｅにおいて撮影条件を設定する際の判定に使用される接触圧の閾値Ｐ１〜Ｐ３は、制御パラメータとして不揮発性メモリ１８に記憶されている。
【００９６】
まず、ステップＳ２０１において、タッチパネル１５を動作させ、ユーザによりタッチ操作されたタッチパネル１５上の位置（指位置）の座標（Ｘ，Ｙ）の検出と、接触圧Ｐｘの測定とを開始する。
【００９７】
続くステップＳ２０２〜Ｓ２０３の動作は、実施の形態１におけるステップＳ１０２〜Ｓ１０３と対応している。
【００９８】
ステップＳ２０４において、撮影条件設定部２０ｅは、圧力センサ１６からの出力信号に基づいて、接触圧Ｐｘが所定値Ｐ１以上（Ｐｘ≧Ｐ１）であるか否かを判定する。実施の形態２において、Ｐ１は例えば０．０５ｋｇｆ／ｃｍ２である。接触圧Ｐｘが所定値Ｐ１以上である場合（ステップＳ２０４：Ｙｅｓ）、動作はステップＳ２０５に移行する。一方、接触圧Ｐｘが所定値Ｐ１より小さい場合（ステップＳ２０４：Ｎｏ）、動作はステップＳ２２１に移行する。
【００９９】
その後のステップＳ２０５〜Ｓ２０８の動作は、実施の形態１におけるステップＳ１０５〜１０８と対応している。
【０１００】
ステップＳ２０９において、撮影条件設定部２０ｅは、圧力センサ１６からの出力信号に基づいて、接触圧Ｐｘが所定値Ｐ２以上（Ｐｘ≧Ｐ２）であるか否かを判定する。実施の形態２において、Ｐ２は例えば０．１ｋｇｆ／ｃｍ２である。接触圧Ｐｘが所定値Ｐ２以上である場合（ステップＳ２０９：Ｙｅｓ）、動作はステップＳ２１０に移行する。一方、接触圧Ｐｘが所定値Ｐ２より小さい場合（ステップＳ２０９：Ｎｏ）、動作はステップＳ２２２に移行する。
【０１０１】
続くステップＳ２１０〜Ｓ２１４の動作は、実施の形態１におけるステップＳ１１０〜Ｓ１１４と対応している。
【０１０２】
ステップＳ２１５において、撮影条件設定部２０ｅは、圧力センサ１６からの出力信号に基づいて、接触圧Ｐｘが所定値Ｐ３以上であるか否かを判定する（ステップＳ２１５）。実施の形態２において、Ｐ３は例えば０．２ｋｇｆ／ｃｍ２である。接触圧Ｐｘが所定値Ｐ３以上である場合（ステップＳ２１５：Ｙｅｓ）、動作はステップＳ２１６に移行する。一方、接触圧Ｐｘが所定値Ｐ３より小さい場合（ステップＳ２１５：Ｎｏ）、動作はステップＳ２２３に移行する。
【０１０３】
続くステップＳ２１６〜Ｓ２１９の動作は、実施の形態１におけるステップＳ１１６〜Ｓ１１９と対応している。
また、ステップＳ２２１〜Ｓ２２３、Ｓ２３１、Ｓ２３２の動作は、ステップＳ１２１〜Ｓ１２３、Ｓ１３１、Ｓ１３２とそれぞれ対応している。
【０１０４】
ここで、上記実施の形態２において、接触圧を判定する際の閾値をＰ２＝２×Ｐ１、Ｐ３＝２×Ｐ２とした理由は、人間の感覚として、物理量に約２倍の変化（差）がないと、操作感の違いを認識し難いからである。なお、操作感は個人差が大きいので、Ｐ１、Ｐ２、及びＰ３の値をユーザに応じて設定又は変更可能に構成しても良い。
【０１０５】
以上説明したように、実施の形態２によれば、ユーザがタッチ操作を行った際の接触圧を検出し、この接触圧に応じた階層の情報選択や画面表示を可能とするので、タッチする感覚（タッチの強弱）と視覚（階層に応じた奥行きの位置に画面が表示されるとの認識）とがマッチし、ユーザは、より直感的な情報選択を行うことが可能となる。
【０１０６】
以上説明した実施の形態１及び２においては、タッチ状態としてタッチ時間及び接触圧を用いているが、それ以外にも様々な物理量を用いることができる。具体的には、所定時間内におけるタッチの回数、同時にタッチされた箇所の数、タッチの軌跡等が挙げられる。
【０１０７】
また、以上の説明においては、撮像装置１及び１−２を３次元画像の撮影が可能なデジタルカメラとして説明したが、本発明は、２次元画像の撮影を行う一般的なデジタル一眼レフカメラ、デジタルビデオカメラ又はカメラ付き携帯電話等の撮影機能及び表示機能を備えた各種電子機器に適用することができる。また、本発明は、テレビジョンや、パーソナルコンピュータのディスプレイや、タブレット型コンピュータ等の表示装置に適用することもできる。
【符号の説明】
【０１０８】
１  撮像装置
２Ｌ、２Ｒ  レンズ部
３Ｌ、３Ｒ  レンズ駆動機構
４Ｌ、４Ｒ  絞り駆動機構
５Ｌ、５Ｒ  シャッタ駆動機構
５ａ  シャッタ
６Ｌ、６Ｒ  撮像素子
７Ｌ、７Ｒ  信号処理部
１０Ｌ、１０Ｒ  撮像部
１１  手ブレ検出部
１２  姿勢検出部
１３  操作入力部
１３ａ  電源スイッチ
１３ｂ  レリーズスイッチ
１３ｃ  モード切換スイッチ
１３ｄ  操作スイッチ
１３ｅ  ズームスイッチ
１３ｆ  ２Ｄ／３Ｄ撮影切換スイッチ
１４  表示部
１４ａ  表示画面
１５  タッチパネル
１６  圧力センサ
１７  記録媒体インタフェース
１７ａ  メモリカード
１８  不揮発性メモリ
１８ａ  プログラムコード
１８ｂ  制御パラメータ
１９  揮発性メモリ
１９ａ  ワークエリア
２０  システムコントローラ
２０ａ  画像処理部
２０ｂ  圧縮・伸長部
２０ｃ  ３Ｄ画像生成部
２０ｄ  入力信号受付部
２０ｅ  撮影条件設定部
２０ｆ  ＡＦ制御部
２０ｇ  ＡＥ制御部
２０ｈ  タイマカウンタ
２０ｉ  表示制御部
２０ｊ  タッチ時間検出部
２１  第１階層
２２ａ、２２ｂ、２２ｃ  第２階層
３１、４１  第１階層窓
３２、４２  第２階層窓
３３、４３  第３階層窓
３１ａ、３１ｂ、３１ｃ、３２ａ、３２ｂ、３２ｃ、３２ｄ、３３ａ、３３ｂ、４１ａ、４２ａ、４３ａ  アイコン
３４  選択状況表示窓
１００  ユーザ
【図１】
2012058903.tif 000003
【図２】
2012058903.tif 000004
【図３】
2012058903.tif 000005
【図４】
2012058903.tif 000006
【図５】
2012058903.tif 000007
【図６】
2012058903.tif 000008
【図７Ａ】
2012058903.tif 000009
【図７Ｂ】
2012058903.tif 000010
【図８Ａ】
2012058903.tif 000011
【図８Ｂ】
2012058903.tif 000012
【図９】
2012058903.tif 000013
【図１０Ａ】
2012058903.tif 000014
【図１０Ｂ】
2012058903.tif 000015
【図１１Ａ】
2012058903.tif 000016
【図１１Ｂ】
2012058903.tif 000017
【図１１Ｃ】
2012058903.tif 000018
【図１２】
2012058903.tif 000019
【図１３】
2012058903.tif 000020